【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
平面表示パネルと、
この平面表示パネルの裏面側に配置されたバックライトと、
このバックライトおよび前記平面表示パネルを保持する本体部を備えるとともに、この本体部の裏面側に対して所定のスペースを介して形成された保持片部を一端部に備えたフレームと、
このフレームの前記本体部の裏面と前記保持片部との間に配置され、前記平面表示パネルを介した入力を可能にするセンサ基板と、
このセンサ基板の前記保持片部側の面側に配置され前記平面表示パネルを駆動させる回路基板と、
前記平面表示パネルの表面側に配置されるとともに、前記平面表示パネル、前記バックライトおよび前記フレームを内蔵するようにこれらの厚さ方向の寸法よりも大きい幅寸法を有する外周縁部を両側に備えたベゼルカバーとを具備し、
前記センサ基板は、一端が前記所定のスペースを介して前記フレームの前記保持片部に挿入されているとともに、この一端以外の少なくとも一辺が前記ベゼルカバーに固定されている
ことを特徴とした平面表示装置。
【請求項２】
前記ベゼルカバーは、ねじ止め孔を有する取付片部を備え、
前記回路基板は、前記ねじ止め孔に対応するねじ挿通孔を有し、これらねじ止め孔とねじ挿通孔とを介して前記取付片部にねじ止め固定された接続片部を備えている
ことを特徴とした請求項１記載の平面表示装置。
【請求項３】
前記ベゼルカバーは、ねじ止め孔を有する取付片部を備え、
前記センサ基板は、前記ねじ止め孔に対応するねじ挿通孔を有し、これらねじ止め孔とねじ挿通孔とを介して前記取付片部にねじ止め固定されたねじ止め片部を備えている
ことを特徴とした請求項１記載の平面表示装置。
【請求項４】
平面表示パネルとこの平面表示パネルの裏面側に配置したバックライトとを、一端部に保持片部を有するフレームの本体部により保持し、
この本体部の裏面に、前記平面表示パネルを駆動させる回路基板を配置し、
これら平面表示パネル、バックライトおよびフレームを内蔵するようにこれらの厚さ寸法よりも大きい幅寸法を有する外周縁部を両側に設けたベゼルカバーを前記フレームと嵌め合わせ、
前記平面表示パネルを介した入力を可能にするセンサ基板の両側を前記ベゼルカバーの外周縁部に沿わせてその一端部を前記本体部の裏面と前記回路基板との間に挿入して前記フレームの保持片部に係止するとともに、前記センサ基板を前記ベゼルカバーに固定する
ことを特徴とした平面表示装置の製造方法。
【請求項５】
前記回路基板に形成した接続片部を、前記ベゼルカバーに形成した取付片部にねじ止め固定し、
前記センサ基板の一端部を前記フレームの保持片部に係止させるとともに、前記センサ基板に設けたねじ止め片部を前記取付片部にねじ止め固定する
ことを特徴とした請求項４記載の平面表示装置の製造方法。
【手続補正２】
【補正対象書類名】明細書
【補正対象項目名】発明の名称
【補正方法】変更
【補正の内容】
【発明の名称】平面表示装置およびその製造方法
【手続補正３】
【補正対象書類名】明細書
【補正対象項目名】０００１
【補正方法】変更
【補正の内容】
【０００１】
本発明は、センサ基板を備えた平面表示装置およびその製造方法に関する。
【手続補正４】
【補正対象書類名】明細書
【補正対象項目名】０００７
【補正方法】変更
【補正の内容】
【０００７】
本発明は、このような点に鑑みなされたもので、センサ基板の取り付けを容易にできる平面表示装置およびその製造方法を提供することを目的とする。
【手続補正５】
【補正対象書類名】明細書
【補正対象項目名】０００８
【補正方法】変更
【補正の内容】
【０００８】
本発明は、平面表示パネルと、この平面表示パネルの裏面側に配置されたバックライトと、このバックライトおよび前記平面表示パネルを保持する本体部を備えるとともに、この本体部の裏面側に対して所定のスペースを介して形成された保持片部を一端部に備えたフレームと、このフレームの前記本体部の裏面と前記保持片部との間に配置され、前記平面表示パネルを介した入力を可能にするセンサ基板と、このセンサ基板の前記保持片部側の面側に配置され前記平面表示パネルを駆動させる回路基板と、前記平面表示パネルの表面側に配置されるとともに、前記平面表示パネル、前記バックライトおよび前記フレームを内蔵するようにこれらの厚さ方向の寸法よりも大きい幅寸法を有する外周縁部を両側に備えたベゼルカバーとを具備し、前記センサ基板は、一端が前記所定のスペースを介して前記フレームの前記保持片部に挿入されているとともに、この一端以外の少なくとも一辺が前記ベゼルカバーに固定されているものである。
【手続補正６】
【補正対象書類名】明細書
【補正対象項目名】０００９
【補正方法】変更
【補正の内容】
【０００９】
そして、平面表示パネルとこの平面表示パネルの裏面側に配置したバックライトとを、一端部に保持片部を有するフレームの本体部により保持し、この本体部の裏面に、平面表示パネルを駆動させる回路基板を配置し、これら平面表示パネル、バックライトおよびフレームを内蔵するようにこれらの厚さ寸法よりも大きい幅寸法を有する外周縁部を両側に設けたベゼルカバーをフレームと嵌め合わせ、平面表示パネルを介した入力を可能にするセンサ基板の両側をベゼルカバーの外周縁部に沿わせてその一端部を本体部の裏面と回路基板との間である所定のスペースを介して挿入してフレームの保持片部に係止するとともに、センサ基板をベゼルカバーに固定することにより、センサ基板の取り付けが容易になる。
【手続補正７】
【補正対象書類名】明細書
【補正対象項目名】００１０
【補正方法】変更
【補正の内容】
【００１０】
本発明によれば、平面表示パネルとこの平面表示パネルの裏面側に配置したバックライトとを、一端部に保持片部を有するフレームの本体部により保持し、この本体部の裏面に、平面表示パネルを駆動させる回路基板を配置し、これら平面表示パネル、バックライトおよびフレームを内蔵するようにこれらの厚さ寸法よりも大きい幅寸法を有する外周縁部を両側に設けたベゼルカバーをフレームと嵌め合わせ、平面表示パネルを介した入力を可能にするセンサ基板の両側をベゼルカバーの外周縁部に沿わせてその一端部を本体部の裏面と回路基板との間である所定のスペースを介して挿入してフレームの保持片部に係止するとともに、センサ基板をベゼルカバーに固定することにより、センサ基板の取り付けを容易にできる。
【手続補正８】
【補正対象書類名】明細書
【補正対象項目名】００２０
【補正方法】変更
【補正の内容】
【００２０】
さらに、この液晶パネル２の表面側には、矩形枠状のベゼルカバー13が取り付けられている。このベゼルカバー13は、液晶パネル２の表示画面エリア３の表面側を露出させる開口部としての矩形状の窓部14が中央部に開口形成された矩形枠状の本体部15を備えている。ここで、この本体部15の窓部14は、液晶パネル２の表示画面エリア３に対応した形に形成されている。
【手続補正９】
【補正対象書類名】明細書
【補正対象項目名】０１０２
【補正方法】変更
【補正の内容】
【０１０２】
１    平面表示装置としての液晶表示装置
２    平面表示パネルとしての液晶パネル
７    回路基板としてのドライバ回路
９ 接続片部
10 ねじ挿通孔
13    ベゼルカバー
16    外周縁部
17 取付片部
18 ねじ止め孔
21    バックライト
31    フレーム
32 本体部
37    保持片部
41    センサ基板としてのデジタイザ基板
43    ねじ止め片部
44 ねじ挿通孔
Ａ    スペース